(57)【要約】【課題】余裕をもって特定階を行先階として登録することができるエレベータシステムを提供する。【解決手段】エレベータシステムは、エレベータのかご内に設けられた認証装置と、前記かご内に設けられたボタンと、前記ボタンが操作された場合に前記かごの走行を阻止し、前記認証装置が利用者を認証した際に特定階を行先階として登録することを許可する制御装置と、を備えた。当該構成を備えることにより、余裕をもって特定階を行先階として登録することができる。【選択図】図１
2014240311.tif 000002
【特許請求の範囲】
【請求項１】
エレベータのかご内に設けられた認証装置と、
前記かご内に設けられたボタンと、
前記ボタンが操作された場合に前記かごの走行を阻止し、前記認証装置が利用者を認証した際に特定階を行先階として登録することを許可する制御装置と、
を備えたエレベータシステム。
【請求項２】
前記制御装置は、前記ボタンが操作された場合に前記かごの停止階に設けられた乗場ボタンの操作による戸開を阻止する請求項１に記載のエレベータシステム。
【請求項３】
前記制御装置は、前記かごの走行を阻止した後に前記ボタンが操作された場合に前記かごの走行の阻止を解除する請求項１又は請求項２に記載のエレベータシステム。
【請求項４】
前記制御装置は、前記かごの走行を阻止した後に一定時間が経過した場合に前記かごの走行の阻止を解除する請求項１〜請求項３のいずれか一項に記載のエレベータシステム。
【請求項５】
前記制御装置は、前記かごの走行を阻止した後に前記特定階が行先階として登録された場合に前記かごの走行の阻止を解除する請求項１〜請求項４のいずれか一項に記載のエレベータシステム。
【発明の詳細な説明】
【技術分野】
【０００１】
この発明は、エレベータシステムに関する。
【背景技術】
【０００２】
例えば、特許文献１には、エレベータシステムが記載されている。当該エレベータシステムのかご内には、認証装置が設けられる。当該かご内には、かごボタンが設けられる。当該エレベータシステムは、認証装置がカードから情報を読み取った際にかごの走行を阻止する。その後、かごボタンが操作されると、かごボタンに対応した特定階が行先階として登録される。その後、かごの走行の阻止が解除される。その結果、かごは、特定階に向けて走行を開始する。
【先行技術文献】
【特許文献】
【０００３】
【特許文献１】特開平１１−０６００８４号公報
【特許文献２】特開平１１−３２２２０４号公報
【特許文献３】特開２００２−２２０１６２号公報
【発明の概要】
【発明が解決しようとする課題】
【０００４】
しかしながら、当該エレベータシステムは、認証装置に対するカードの操作が遅れた場合にかごの走行を阻止しない。この場合、他の階の乗場呼び等が登録されると、かご内の利用者の意思とは関係なく、かごが他の階に向けて走行を開始する。
【０００５】
この発明は、上述の課題を解決するためになされた。この発明の目的は、余裕をもって特定階を行先階として登録することができるエレベータシステムを提供することである。
【課題を解決するための手段】
【０００６】
この発明に係るエレベータシステムは、エレベータのかご内に設けられた認証装置と、前記かご内に設けられたボタンと、前記ボタンが操作された場合に前記かごの走行を阻止し、前記認証装置が利用者を認証した際に特定階を行先階として登録することを許可する制御装置と、を備えた。
【発明の効果】
【０００７】
この発明によれば、余裕をもって特定階を行先階として登録することができる。
【図面の簡単な説明】
【０００８】
【図１】この発明の実施の形態１におけるエレベータシステムの要部の側面図である。
【図２】この発明の実施の形態１におけるエレベータシステムのかご内の正面図である。
【図３】この発明の実施の形態１におけるエレベータシステムの制御装置のブロック図である。
【図４】この発明の実施の形態１におけるエレベータシステムの運転管理手段の動作を説明するためのフローチャートである。
【発明を実施するための形態】
【０００９】
この発明を実施するための形態について添付の図面に従って説明する。各図中、同一又は相当する部分には同一の符号が付される。当該部分の重複説明は適宜に簡略化ないし省略される。
【００１０】
実施の形態１．
図１はこの発明の実施の形態１におけるエレベータシステムの要部の側面図である。
【００１１】
図１において、図示しない建築物には、図示しない昇降路が設けられる。昇降路は、建築物の各階を貫く。建築物の各階には、乗場１が設けられる。各乗場１は、昇降路に対向する。各乗場１には、乗場戸２が設けられる。各乗場１には、乗場ボタン３が設けられる。昇降路の上部には、巻上機４が設けられる。巻上機４には、ロープ５が巻き掛けられる。ロープ５の一側には、かご６が連結される。かご６には、かご戸７が設けられる。ロープ５の他側には、つり合い錘８が連結される。かご６とつり合い錘８とは、昇降路内に配置される。
【００１２】
次に、図２を用いて、かご６の内部を説明する。
図２はこの発明の実施の形態１におけるエレベータシステムのかご内の正面図である。
【００１３】
図２に示すように、かご６内には、かご操作盤９が設けられる。かご操作盤９は、かごボタン１０、戸開ボタン１１、戸閉ボタン１２、特殊ボタン１３を備える。例えば、特殊ボタン１３は、認証中ボタンからなる。かご操作盤９の下方には、個人認証装置１４が設けられる。
【００１４】
次に、図３を用いて、エレベータの制御装置を説明する。
図３はこの発明の実施の形態１におけるエレベータシステムの制御装置のブロック図である。
【００１５】
図３に示すように、制御装置は、行先登録制限階記憶手段１５、乗場ボタン操作検出手段１６、かごボタン操作検出手段１７、戸開閉制御手段１８、巻上機制御手段１９、特殊ボタン操作検出手段２０、行先登録制限一時解除手段２１、運転管理手段２２を備える。
【００１６】
行先登録制限階記憶手段１５は、行先登録制限階に関する情報を記憶する。例えば、行先登録制限階は、一般の利用者の利用が禁止されている特定階からなる。
【００１７】
乗場ボタン操作検出手段１６は、乗場ボタン３の操作を検出する。この際、乗場ボタン操作検出手段１６は、当該操作に対応した階と方向とに関する情報を運転管理手段２２に出力する。
【００１８】
当該階がかご６の停止階以外の場合、運転管理手段２２は、当該階を行先階として登録する。当該階がかご６の停止階で当該方向がかご６の走行予定方向と逆方向の場合、運転管理手段２２は、当該階を行先階として登録する。
【００１９】
当該階がかご６の停止階で当該方向がかご６の走行予定方向と同方向の場合、運転管理手段２２は、戸開指令を戸開閉制御手段１８に出力する。かご６の走行予定がない場合、運転管理手段２２は、戸開閉制御手段１８に戸開指令を出力する。戸開閉制御手段１８は、当該戸開指令に基づいてかご戸７を開く。この際、乗場戸２は、かご戸７に追従して開く。
【００２０】
かごボタン操作検出手段１７は、かごボタン１０の操作を検出する。この際、かごボタン操作検出手段１７は、当該操作に対応した階に関する情報を運転管理手段２２に出力する。当該階が行先登録制限記憶手段に記憶された行先登録制限階でない場合、運転管理手段２２は、当該階を行先階として登録する。
【００２１】
運転管理手段２２は、戸開ボタン１１の操作を検出する。この際、運転管理手段２２は、戸開指令を戸開閉制御手段１８に出力する。戸開閉制御手段１８は、当該戸開指令に基づいてかご戸７を開く。この際、乗場戸２は、かご戸７に追従して開く。
【００２２】
運転管理手段２２は、戸閉ボタン１２の操作を検出する。この際、運転管理手段２２は、戸閉指令を戸開閉制御手段１８に出力する。戸開閉制御手段１８は、当該戸閉指令に基づいてかご戸７を閉じる。この際、乗場戸２は、かご戸７に追従して閉じる。
【００２３】
運転管理手段２２は、かご戸７と乗場戸２とが開いてから一定時間が経過した際に戸閉指令を戸開閉制御手段１８に出力する。戸開閉制御手段１８は、当該戸閉指令に基づいてかご戸７を閉じる。この際、乗場戸２は、かご戸７に追従して閉じる。
【００２４】
行先階が登録されているときにかご戸７と乗場戸２が閉じた場合、運転管理手段２２は、走行指令を巻上機制御手段１９に出力する。巻上機制御手段１９は、当該走行指令に基づいて巻上機４を制御する。かご６は、当該制御に基づいて当該行先階に向けて昇降を開始する。
【００２５】
かご６が当該行先階に停止し得る状態となった場合、運転管理手段２２は、停止指令を巻上機制御手段１９に出力する。巻上機制御手段１９は、当該停止指令に基づいて巻上機４を制御する。かご６は、当該制御に基づいて当該行先階で停止する。
【００２６】
特殊ボタン操作検出手段２０は、特殊ボタン１３の操作を検出する。この際、特殊ボタン操作検出手段２０は、認証開始情報を運転管理手段２２に出力する。運転管理手段２２は、認証開始情報に基づいてかご６の走行を阻止する。特殊ボタン操作検出手段２０は、認証開始情報の出力後に特殊ボタン１３の操作を検出した際に認証終了情報を運転管理手段２２に出力する。運転管理手段２２は、認証終了情報に基づいてかご６の走行の阻止を解除する。
【００２７】
行先登録制限一時解除手段２１は、個人認証装置１４が指紋、カードキー等により利用者を認証した際に当該利用者に対応した行先登録制限階を一時的に解除する旨の情報を運転管理手段２２に出力する。運転管理手段２２は、行先登録制限階記憶手段１５に記憶された行先登録制限階から当該階を一時的に除外する。
【００２８】
次に、図４を用いて、運転管理手段２２の動作の詳細を説明する。
図４はこの発明の実施の形態１におけるエレベータシステムの運転管理手段の動作を説明するためのフローチャートである。
【００２９】
ステップＳ１では、運転管理手段２２は、かご６が乗場１に停止中か否かを判定する。ステップＳ１でかご６が乗場１に停止中でない場合は、特殊ボタン１３の操作は無効となる。この場合、動作が終了する。ステップＳ１でかご６が乗場１に停止中の場合は、特殊ボタン１３の操作は有効となる。この場合、ステップＳ２に進む。
【００３０】
ステップＳ２では、運転管理手段２２は、特殊ボタン１３が操作されたか否かを判定する。ステップＳ２で特殊ボタン１３が操作されない場合は、動作が終了する。ステップＳ２で特殊ボタン１３が操作された場合は、ステップＳ３に進む。
【００３１】
ステップＳ３では、運転管理手段２２は、かご６の走行を阻止する。この場合、かご戸７と乗場戸２とが閉じた際に行先階が登録されていても、運転管理手段２２は、走行指令を巻上機制御手段１９に出力しない。
【００３２】
その後、ステップＳ４に進み、運転管理手段２２は、乗場ボタン３の操作によりかご戸７と乗場戸２とが開くことを阻止する。この場合、かご６の停止階の乗場ボタン３が操作されても、運転管理手段２２は、戸開指令を戸開閉制御手段１８に出力しない。その後、ステップＳ５に進み、運転管理手段２２は、特殊ボタン１３が再び操作されたか否かを判定する。
【００３３】
ステップＳ５で特殊ボタン１３が操作されない場合は、ステップＳ６に進む。ステップＳ６では、運転管理手段２２は、特殊ボタン１３が操作されてから一定時間が経過したか否かを判定する。
【００３４】
ステップＳ６で特殊ボタン１３が操作されてから一定時間が経過していない場合は、ステップＳ７に進む。ステップＳ７では、運転管理手段２２は、利用者が個人認証装置１４により認証されたか否かを判定する。
【００３５】
ステップＳ７で利用者が認証されない場合は、ステップＳ５に戻る。ステップＳ７で利用者が認証された場合は、ステップＳ８に進む。ステップＳ８では、運転管理手段２２は、一時的に解除された行先登録制限階が行先階として登録されたか否かを判定する。
【００３６】
ステップＳ８で一時的に解除された行先登録制限階が行先階として登録されていない場合は、ステップＳ５に戻る。ステップＳ８で一時的に解除された行先登録制限階が行先階として登録された場合は、ステップＳ９に進む。
【００３７】
ステップＳ９では、運転管理手段２２は、かご６の走行を阻止しない。その後、ステップＳ１０に進み、運転管理手段２２は、乗場ボタン３の操作によりかご戸７と乗場戸２とが開くことを阻止しない。その後、動作が終了する。
【００３８】
ステップＳ５で特殊ボタン１３が操作された場合は、ステップＳ９に進む。ステップＳ９では、運転管理手段２２は、かご６の走行を阻止しない。その後、ステップＳ１０に進み、運転管理手段２２は、乗場ボタン３の操作によりかご戸７と乗場戸２とが開くことを阻止しない。その後、動作が終了する。
【００３９】
ステップＳ１〜ステップＳ１０は常に繰り返される。この際、ステップＳ１〜ステップＳ１０に示されていない操作は有効である。例えば、戸閉ボタン１２の操作は有効である。
【００４０】
以上で説明した実施の形態１によれば、特殊ボタン１３が操作された場合に、かご６の走行が阻止される。このため、余裕をもって特定階を行先階として登録することができる。
【００４１】
また、特殊ボタン１３が操作された場合に、乗場ボタン３の操作による戸開が阻止される。このため、特定階へ行くことが許可されていない利用者の相乗りを防止することができる。その結果、エレベータシステムのセキュリティを向上することができる。
【００４２】
また、かご６の走行が阻止された後に特殊ボタン１３が操作された場合に、かご６の走行の阻止が解除される。このため、利用者が意識的にかご６の走行の阻止を解除することができる。その結果、複数の利用者がいる場合に柔軟に対応することができる。
【００４３】
また、かご６の走行が阻止された後に一定時間が経過した場合に、かご６の走行の阻止が解除される。このため、特殊ボタン１３がいたずらで操作された場合でも、かご６の走行の阻止を解除する手間をかけることなくかご６を走行させることができる。
【００４４】
また、かご６の走行が阻止された後に特定階が行先階として登録された場合に、かご６の走行の阻止が解除される。このため、かご６の走行の阻止を解除する手間をかけることなくかご６を即座に走行させることができる。
【００４５】
なお、図４において、ステップＳ５、ステップＳ６、ステップＳ８のうち、いずれか一つのステップがあればよい。ただし、ステップＳ８がある場合は、ステップＳ７も必要となる。
【００４６】
また、図４において、ステップＳ４、ステップＳ１０はなくてもよい。ただし、ステップＳ４、ステップＳ１０のうち、いずれか一つのステップをなくすことはできない。
【符号の説明】
【００４７】
１  乗場、  ２  乗場戸、  ３  乗場ボタン、  ４  巻上機、  ５  ロープ、  ６  かご、  ７  かご戸、  ８  つり合い錘、  ９  かご操作盤、  １０  かごボタン、  １１  戸開ボタン、  １２  戸閉ボタン、  １３  特殊ボタン、  １４  個人認証装置、  １５  行先登録制限階記憶手段、  １６  乗場ボタン操作検出手段、  １７  かごボタン操作検出手段、  １８  戸開閉制御手段、  １９  巻上機制御手段、  ２０  特殊ボタン操作検出手段、  ２１  行先登録制限一時解除手段、  ２２  運転管理手段
【図１】
2014240311.tif 000003
【図２】
2014240311.tif 000004
【図３】
2014240311.tif 000005
【図４】
2014240311.tif 000006